(57)【要約】【課題】サポートロッドで支持した状態でのフードパネルの変形を抑制することができる車両のフード構造を提供する。【解決手段】ヒンジ部材が取り付けられるフードパネルの取付部を補強する補強部材が、ヒンジ部材の固定部に対向して設けられる対向部と、対向部からヒンジ部材の先端よりも車両前後方向の外側に延設される延設部と、を有し、延設部の車両前後方向での剛性が、対向部よりも低く設定された構成とする。【選択図】図５
2015074320.tif 000002
【特許請求の範囲】
【請求項１】
車体の前部に設けられるフードパネルと、
先端側に前記フードパネルに取付けられる固定部を有するとともに基端側が車体側に回動自在に枢支され、前記フードパネルを開閉可能に車体に連結するヒンジ部材と、
前記ヒンジ部材が取り付けられる前記フードパネルの取付部を補強する補強部材と、
前記ヒンジ部材に係止されることで、前記フードパネルを開状態に支持するサポートロッドと、を備える車両のフード構造であって、
前記補強部材は、前記ヒンジ部材の前記固定部に対向して設けられる対向部と、該対向部から前記ヒンジ部材の先端よりも車両前後方向の外側に延設される延設部と、を有し、
前記延設部の車両前後方向での剛性が、前記対向部よりも低く設定されている
ことを特徴とする車両のフード構造。
【請求項２】
請求項１に記載の車両のフード構造において、
前記延設部には、前記フードパネルの取付部との間に隙間を有して車幅方向に延びる複数の凸条部が車両前後方向に並んで形成されている
ことを特徴とする車両のフード構造。
【請求項３】
請求項２に記載の車両のフード構造において、
前記凸条部が前記対向部にも形成されており、
前記延設部における前記凸条部間のピッチが前記対向部における前記凸条部間のピッチよりも狭くなるよう構成されている
ことを特徴とする車両のフード構造。
【請求項４】
請求項２又は３に記載の車両のフード構造において、
前記凸条部間のピッチが、前記延設部の先端側に向かって徐々に狭くなるよう構成されている
ことを特徴とする車両のフード構造。
【請求項５】
請求項１から４の何れか一項に記載の車両のフード構造において、
前記延設部には、複数の穴部が車両前後方向に並んで形成されている
ことを特徴とする車両のフード構造。
【請求項６】
請求項５に記載の車両のフード構造において、
前記穴部が前記対向部にも形成されており、
前記延設部に設けられる前記穴部の大きさが、前記対向部に設けられる穴部の大きさよりも大きくなるよう構成されている
ことを特徴とする車両のフード構造。
【請求項７】
請求項５又は６に記載の車両のフード構造において、
前記穴部間のピッチが前記延設部の先端側に向かって徐々に狭くなるよう構成されている
ことを特徴とする車両のフード構造。
【請求項８】
請求項１から７の何れか一項に記載の車両のフード構造において、
前記フードパネルは、アウターパネルと該アウターパネルの裏面に配設されるインナーパネルとで構成されており、
前記インナーパネルの車幅方向両側には、車両前後方向に延設された凹状のビードが設けられ、前記補強部材は、前記ビード内に配設されている
ことを特徴とする車両のフード構造。
【発明の詳細な説明】
【技術分野】
【０００１】
本発明は、エンジンルーム等の空間をフードパネルで開閉可能に覆う車両のフード構造に関する。
【背景技術】
【０００２】
自動車等の車両のエンジンルーム等の空間を覆うフードパネルは、例えば、アウターパネルとインナーパネルとを上下に重ねて一体結合されてなり、ヒンジ部材によって開閉可能に車体に支持されている。このようなフードパネルを開いた状態に保持する機構の一つとして、例えば、インナーパネルをサポートロッドで支持する機構がある。
【０００３】
フードパネルを構成するアウターパネル及びインナーパネルの厚さは、軽量化、或いは歩行者頭部保護性能の向上等を目的として、近年、徐々に薄くなってきている。このため、サポートロッドでインナーパネルを支持することが難しくなってきている。すなわちサポートロッドでインナーパネルを支持すると、インナーパネルが変形してしまう虞がある。
【０００４】
このような問題に対し、例えば、ヒンジ部材にサポートロッドを係止させることで、フードパネルを開いた状態に支持する構成のものがある。ヒンジ部材の剛性はインナーパネルに比べて高いため、サポートロッドで良好に支持することができる。しかしながら、サポートロッドでヒンジ部材を支持した状態で不用意にフードパネルを操作した場合には、ヒンジ部材の端部との境界部分でフードパネルが折れ曲がる等、簡単に変形してしまうことが予想される。
【０００５】
これに対し、インナーパネルのヒンジ部材が固定される部位に対向して補強部材を設けることで、フードパネル（インナーパネル）の強度を確保するようにした構造が提案されている。またこの補強部材を大型化することで、荷重を分担する面積を稼ぐようにした構造も提案されている。具体的には、オープンステー（サポートロッド）が固定されるボンネット取付用アームに対向して補強部材を設け、この補強部材をボンネット取付用アームの前端（車両前方側の端部）の外側まで延設するようにしたものがある（特許文献１参照）。
【先行技術文献】
【特許文献】
【０００６】
【特許文献１】特開２００１−５５１７０号公報（図２参照）
【発明の概要】
【発明が解決しようとする課題】
【０００７】
このようにフードパネルのヒンジ部材の取付部に補強部材を設けることで、さらには補強部材を大型化することでフードパネル（インナーパネル）の取付部の強度を高めることはできる。しかしながら、このような補強部材を設けた場合でも、サポートロッドでヒンジ部材を支持した状態で不用意にフードパネルを操作してしまうと、やはりフードパネルが変形してしまう虞がある。すなわちフードパネル（インナーパネル）の補強部材が設けられた部分とそれ以外の部分とでは強度が大きく異なるため、補強部材の端部に対応する部分で、フードパネルが変形してしまう虞がある。
【０００８】
本発明はこのような事情に鑑みてなされたものであり、サポートロッドで支持した状態でのフードパネルの変形を抑制することができる車両のフード構造を提供することを目的とする。
【課題を解決するための手段】
【０００９】
上記課題を解決する本発明の第１の態様は、車体の前部に設けられるフードパネルと、先端側に前記フードパネルに取付けられる固定部を有するとともに基端側が車体側に回動自在に枢支され、前記フードパネルを開閉可能に車体に連結するヒンジ部材と、前記ヒンジ部材が取り付けられる前記フードパネルの取付部を補強する補強部材と、前記ヒンジ部材に係止されることで、前記フードパネルを開状態に支持するサポートロッドと、を備える車両のフード構造であって、前記補強部材は、前記ヒンジ部材の前記固定部に対向して設けられる対向部と、該対向部から前記ヒンジ部材の先端よりも車両前後方向の外側に延設される延設部と、を有し、前記延設部の車両前後方向での剛性が、前記対向部よりも低く設定されていることを特徴とする車両のフード構造にある。
【００１０】
本発明の第２の態様は、第１の態様の車両のフード構造において、前記延設部には、前記フードパネルの取付部との間に隙間を有して車幅方向に延びる複数の凸条部が車両前後方向に並んで形成されていることを特徴とする車両のフード構造にある。
【００１１】
本発明の第３の態様は、第２の態様の車両のフード構造において、前記凸条部が前記対向部にも形成されており、前記延設部における前記凸条部間のピッチが前記対向部における前記凸条部間のピッチよりも狭くなるよう構成されていることを特徴とする車両のフード構造にある。
【００１２】
本発明の第４の態様は、第２又は３の態様の車両のフード構造において、前記凸条部間のピッチが、前記延設部の先端側に向かって徐々に狭くなるよう構成されていることを特徴とする車両のフード構造にある。
【００１３】
本発明の第５の態様は、第１から４の何れか一つの態様の車両のフード構造において、前記延設部には、複数の穴部が車両前後方向に並んで形成されていることを特徴とする車両のフード構造にある。
【００１４】
本発明の第６の態様は、第５の態様の車両のフード構造において、前記穴部が前記対向部にも形成されており、前記延設部に設けられる前記穴部の大きさが、前記対向部に設けられる穴部の大きさよりも大きくなるよう構成されていることを特徴とする車両のフード構造にある。
【００１５】
本発明の第７の態様は、第５又は６の態様の車両のフード構造において、前記穴部間のピッチが前記延設部の先端側に向かって徐々に狭くなるよう構成されていることを特徴とする車両のフード構造にある。
【００１６】
本発明の第８の態様は、第１から７の何れか一つの態様の車両のフード構造において、前記フードパネルは、アウターパネルと該アウターパネルの裏面に配設されるインナーパネルとで構成されており、前記インナーパネルの車幅方向両側には、車両前後方向に延設された凹状のビードが設けられ、前記補強部材は、前記ビード内に配設されていることを特徴とする車両のフード構造にある。
【発明の効果】
【００１７】
かかる本発明のフード構造によれば、補強部材の端部に対応する部分でのフードパネル（インナーパネル）に対する応力集中が抑えられる。したがって、フードパネルの不用意な操作等に起因するフードパネルの変形を抑制することができる。例えば、サポートロッドでヒンジ部材を支持した状態で、フードパネルを不用意に閉じようとしてしまった場合でも、補強部材の端部に対応する部分におけるフードパネルの変形を抑制することができる。
【図面の簡単な説明】
【００１８】
【図１】本発明に係るフードパネルを含む車体前部の概略構成を示す斜視図である。
【図２】本発明に係るフードパネルの断面図である。
【図３】本発明に係る補強部材の概略構成を示す斜視図である。
【図４】本発明に係る補強部材を示す断面図である。
【図５】本発明に係る補強部材の凸条部を示す断面図である。
【図６】本発明に係る補強部材の凸条部の変形例を示す断面図である。
【図７】本発明に係る補強部材の凸条部の変形例を示す断面図である。
【図８】本発明に係る補強部材の変形例を示す斜視図である。
【発明を実施するための形態】
【００１９】
以下、本発明の一実施形態について図面を参照して詳細に説明する。
【００２０】
図１は、本発明に係るフード構造を採用したフードパネルが取り付けられた車両前部の概略構成を示す斜視図である。図２は、本発明に係るフードパネルの断面図であり、図１のＡ−Ａ線に対応する断面図である。また図３は、本発明に係る補強部材の概略構成を示す斜視図であり、インナーパネルに取り付けられた状態を示す図である。
【００２１】
まずは、本発明に係るフード構造を採用した車両前部の構造について説明する。図１に示すように、自動車である車両１０の前部には、エンジンルーム１１の開口を開閉可能に覆うフードパネル２０が設けられている。フードパネル２０は、図２に示すように、アウターパネル２１と、アウターパネル２１の裏面側に配設され、アウターパネル２１と閉断面を形成するインナーパネル２２と、で構成されている。これらアウターパネル２１とインナーパネル２２とは、互いの外周部等でヘミング、リベット止め、ボルト締め、溶接又は樹脂等を接着剤として結合されている。
【００２２】
このフードパネル２０は、車体後方側の端部に設けられたヒンジ部材３０Ａ，３０Ｂによってエンジンルーム１１を開閉可能に車体（フレーム）に取り付けられている。ヒンジ部材３０Ａ，３０Ｂは、その先端側がフードパネル２０の車幅方向外側の両端部近傍で、インナーパネル２２に形成された取付部２２ａに固定されると共に、基端側が車両１０の車体（フレーム）に対して回動可能に枢支されている。
【００２３】
各ヒンジ部材３０Ａ，３０Ｂの先端側には、インナーパネル２２に固定するための固定部３０ａが形成されている。本実施形態では、各ヒンジ部材３０Ａ，３０Ｂの固定部３０ａとインナーパネル２２の取付部２２ａとは、ボルト４０の締結によって固定されている。勿論、インナーパネル２２の取付部２２ａとヒンジ部材３０Ａ，３０Ｂの固定部３０ａとは、例えば、溶接等により結合されていてもよい。一方、ヒンジ部材３０Ａ，３０Ｂの基端側には、図示しない支持軸が挿入される挿入孔３１が形成されている。そして、この挿入孔３１に挿入された支持軸が車体に固定されている。これによりヒンジ部材３０Ａ，３０Ｂは車体に対して所定範囲で上下に回動可能に構成されている。
【００２４】
また一方のヒンジ部材３０Ａには、フードパネル２０を開いた状態で固定するためのサポートロッド５０の先端部が係合する係合部（係合孔）３２が形成されている。すなわち本発明に係るフード構造では、サポートロッド５０でインナーパネル２２に固定されたヒンジ部材３０Ａを支持することで、フードパネル２０を開いた状態に保持するようになっている。
【００２５】
ここで、インナーパネル２２には、ヒンジ部材３０Ａ，３０Ｂの固定部３０ａに対応する部分、すなわち取付部２２ａを補強するための板状の補強部材６０が固定されている。この補強部材６０は、インナーパネル２２のヒンジ部材３０Ａ，３０Ｂとは反対側の面に固定されている。つまり、補強部材６０は、ヒンジ部材３０Ａ，３０Ｂとの間にインナーパネル２２の取付部２２ａを挟んだ状態で設けられる。また本実施形態では、インナーパネル２２の車幅方向両側には、車両前後方向に延設された凹状のビード２３が設けられている。すなわちインナーパネル２２には、ヒンジ部材３０Ａ，３０Ｂの固定部３０ａに対向する取付部２２ａから車両１０の前方側に延びる凹状のビード２３が設けられている。補強部材６０はこのビード２３内に固定されている。なお補強部材６０の固定方法は、特に限定されないが、本実施形態では、補強部材６０が、ヒンジ部材３０Ａ，３０Ｂと共にボルト４０によってインナーパネル２２に固定されている。
【００２６】
次に、このようにインナーパネル２２に固定された補強部材６０について詳しく説明する。図４は、本実施形態に係る補強部材を示す図であり、図３のＢ−Ｂ線に対応する断面図である。図５は、補強部材６０に設けられる凸条部を説明する図であり、車両の前後方向における補強部材６０を模式的に示す断面図である。
【００２７】
図３〜図５に示すように、本実施形態に係る補強部材６０は、車幅方向の断面が略コ字状を有する開断面構造に形成された長尺な部材であり（図４参照）、インナーパネル２２のヒンジ部材３０Ａ，３０Ｂに対応する取付部２２ａに、車両１０の前後方向に沿って延設されている。この補強部材６０は、ヒンジ部材３０Ａ，３０Ｂの固定部３０ａに対向して設けられる対向部６１と、対向部６１からヒンジ部材３０Ａ，３０Ｂの固定部（先端部）３０ａよりも車両前方側に延設された延設部６２と、で構成されている。そして補強部材６０の延設部６２は、車両１０の前後方向での剛性が対向部６１よりも低くなるよう設定されている。すなわち延設部６２は、車両１０の前後方向で対向部６１よりも変形し易くなっている。
【００２８】
本実施形態では、補強部材６０には、アウターパネル２１側に突出してインナーパネル２２との間に隙間を有した状態で車幅方向に延びる複数の凸条部（横ビード）６５が、車両１０の前後方向に所定間隔で形成されている。すなわち補強部材６０は、車幅方向に延びる凸条部６５と凹条部６６とが、車両１０の前後方向で交互に配置されて構成されている。言い換えれば、補強部材６０は、車両の前後方向で波型に形成されている。そして図５に模式的に示すように、補強部材６０の延設部６２に設けられる凸条部６５間のピッチ（間隔）ｄ２が、対向部６１に設けられる凸条部６５間のピッチｄ１よりも狭くなっている。これにより、延設部６２は、車両の前後方向の剛性が、対向部６１よりも低くなっている。
【００２９】
このような構成とすることで、フードパネル２０の不用意な操作等に起因するフードパネル２０の変形の発生を抑制することができる。例えば、サポートロッド５０でヒンジ部材３０Ａを支持した状態で、フードパネル２０を不用意に閉じようとしてしまった場合、ヒンジ部材３０Ａの端部との境界部分でフードパネルが折れ曲がる等の変形が生じ易い。しかしながら補強部材６０が延設部６２を備えると共に、この延設部６２の剛性が対向部６１よりも低く設定されていることで、補強部材６０の端部に対応する部分でのインナーパネル２２に対する応力集中が抑えられる。したがって、フードパネル２０を不用意に閉じようとしてしまった場合でも、補強部材６０の端部に対応する部分でのフードパネル２０の変形を抑制することができる。
【００３０】
なお本実施形態では、補強部材６０の延設部６２に形成される凸条部６５間のピッチｄ２を一定とし、また対向部６１に形成される凸条部６５間のピッチｄ１も一定としたが、例えば、図６に示すように、補強部材６０の延設部６２及び対向部６１に形成される凸条部６５間のピッチが、延設部６２の先端側に向かって徐々に狭くなるようにしてもよい。これにより、補強部材６０の端部に対応する部分でのインナーパネル２２に対する応力集中をより効果的に抑制することができる。
【００３１】
さらに本実施形態では、補強部材６０の全体、すなわち対向部６１及び延設部６２のそれぞれに、凸条部６５が設けられた構成を例示したが、凸条部６５は必ずしも補強部材６０の全体に設けられていなくてもよい。例えば、図７に示すように、凸条部６５は、補強部材６０の延設部６２のみに設けられていてもよい。このような構成としても、延設部６２は、車両１０の前後方向の剛性が対向部６１よりも低く設定される。したがって、上述のように補強部材６０の端部に対応する部分でのインナーパネル２２に対する応力集中をより効果的に抑制することができる。
【００３２】
また本実施形態では、補強部材６０に設けられた凸条部６５によって延設部６２の剛性が対向部６１よりも低く設定されるようにしたが、延設部６２の剛性が対向部６１よりも低く設定されていれば、補強部材６０の構成は特に限定されるものではない。例えば、図８に示すように補強部材６０に凸条部６５を設ける替わりに、又は凸条部６５と共に、補強部材６０を貫通する複数の穴部６７を形成するようにしてもよい。そして、この穴部６７の大きさや穴部６７間のピッチを適宜設定することで、延設部６２の剛性が対向部６１よりも低くなるようにしてもよい。
【００３３】
例えば、対向部６１及び延設部６２に、車両１０の前後方向に沿って複数の穴部６７を設け、延設部６２に設けられる穴部６７の大きさが、対向部６１に設けられる穴部６７の大きさよりも大きくなるようにしてもよい。また穴部６７の大きさは一定とし、延設部６２に設けられる穴部６７間のピッチが、対向部６１に設けられる穴部６７間のピッチよりも狭くなるようにしてもよい。
【００３４】
このような構成としても、上述のように補強部材６０の端部に対応する部分でのインナーパネル２２に対する応力集中をより効果的に抑制することができる。なお穴部６７は、補強部材６０を貫通している必要はなく窪みであってもよい。
【００３５】
また例えば、延設部６２と対向部６１とで、補強部材６０を構成する板材の厚さを変えることで、延設部６２の剛性が対向部６１よりも低く設定されるようにしてもよい。勿論、このような構成とした場合でも、上述のように補強部材６０の端部に対応する部分でのインナーパネル２２に対する応力集中をより効果的に抑制することができる。
【００３６】
また本実施形態では、ヒンジ部材３０Ａ，３０Ｂに対応して設けられる各補強部材６０において、延設部６２の剛性が対向部６１よりも低く設定されるようにしているが、サポートロッド５０で支持するヒンジ部材３０Ａに対応する補強部材６０についてのみ、延設部６２の剛性が対向部６１よりも低く設定されるようにしてもよい。
【００３７】
以上、本発明の一実施形態について説明したが、本発明は、上述の実施形態に限定されるものではない。本発明はその趣旨を逸脱しない範囲で適宜変更が可能なものである。
【符号の説明】
【００３８】
１０  車両
１１  エンジンルーム
２０  フードパネル
２１  アウターパネル
２２  インナーパネル
２３  ビード
３０Ａ，３０Ｂ  ヒンジ部材
３１  挿入孔
３２  係合部（係合孔）
４０  ボルト
５０  サポートロッド
６０  補強部材
６１  対向部
６２  延設部
６５  凸条部
６６  凹条部
６７  穴部
【図１】
2015074320.tif 000003
【図２】
2015074320.tif 000004
【図３】
2015074320.tif 000005
【図４】
2015074320.tif 000006
【図５】
2015074320.tif 000007
【図６】
2015074320.tif 000008
【図７】
2015074320.tif 000009
【図８】
2015074320.tif 000010